(57)【要約】【課題】保護板の支持用に設置される支持部材のために必要なスペースが抑制された電気機器収納用箱とすること。【解決手段】主幹ブレーカと、分岐ブレーカ１２と、分岐ブレーカへ電力を供給する複数の母線バー１３を備えた母線バー構造体１４と、分岐ブレーカの導電部を覆う保護板１５と、を筐体本体内に備えた電気機器収納用箱であって、筐体本体内に設けられる支持部材１７と、母線バー構造体に設けた支持部１８と、が保護板を支持する構成とする。【選択図】図４
2019176640.tif 000002
【特許請求の範囲】
【請求項１】
主幹ブレーカと分岐ブレーカと分岐ブレーカへ電力を供給する複数の母線バーを備えた母線バー構造体と分岐ブレーカの導電部を覆う保護板とを筐体本体内に備えた電気機器収納用箱であって、筐体本体内に設けられる支持部材と母線バー構造体に設けた支持部とが保護板を支持する電気機器収納用箱。
【請求項２】
母線バー構造体に設けた支持部が、保護板を回動自在に支持する請求項１に記載の電気機器収納用箱。
【請求項３】
母線バーの側面側に配置される保護プレートを保持するための保持部を、母線バー構造体に設けた支持部に備えた請求項１又は２に記載の電気機器収納用箱。
【発明の詳細な説明】
【技術分野】
【０００１】
本発明は、電気機器収納用箱に関するものである。
【背景技術】
【０００２】
分電盤や配電盤では、導電部に手が接触することによる感電の防止や、異物の侵入防止を目的として、導電部を覆う保護板が広く用いられている。保護板を支持するために、柱状の支持部材が保護板の両端を支えるように電気機器収納用箱の筐体本体に取り付けられていたが、特許文献１に記載されているように、この支持部材は分岐ブレーカや母線バーなどで構成される内器ユニットの両外側に位置するように、筐体本体に取り付けられていた。
【先行技術文献】
【特許文献】
【０００３】
【特許文献１】特開２０１４−１５０６９９号公報
【０００４】
ところで、柱状の支持部材が筐体本体に取り付けられていると、支持部材を取り付けるための設置面が筐体本体に必要となる。保護板の両端ともに柱状の支持部材で支えると、この支持部材の設置のために確保すべきスペースが大きくなるため、筐体本体が大きくなっていた。
【発明の概要】
【発明が解決しようとする課題】
【０００５】
本件の発明者は、この点について鋭意検討することにより、解決を試みた。本発明の課題は、保護板の支持用に設置される支持部材のために必要なスペースが抑制された電気機器収納用箱とすることである。
【課題を解決するための手段】
【０００６】
上記課題を解決するため、主幹ブレーカと、分岐ブレーカと、分岐ブレーカへ電力を供給する複数の母線バーを備えた母線バー構造体と、分岐ブレーカの導電部を覆う保護板と、を筐体本体内に備えた電気機器収納用箱であって、筐体本体内に設けられる支持部材と、母線バー構造体に設けた支持部と、が保護板を支持する電気機器収納用箱とする。
【０００７】
また、母線バー構造体に設けた支持部が、保護板を回動自在に支持する構成とすることが好ましい。
【０００８】
また、母線バーの側面側に配置される保護プレートを保持するための保持部を、母線バー構造体に設けた支持部に備えた構成とすることが好ましい。
【発明の効果】
【０００９】
本発明では、保護板の支持用に設置される支持部材のために必要なスペースが抑制されることで、従来よりも電気機器収納用箱のサイズを小さくすることが可能となる。
【図面の簡単な説明】
【００１０】
【図１】内器ユニットを筐体本体に収納した電気機器収納用箱を示す斜視図である。
【図２】取付レール上に内器ユニットが固定された状態を示す斜視図である。但し、保護板は閉じている。
【図３】取付レール上に内器ユニットが固定された状態を示す斜視図である。但し、保護板は開いている。
【図４】図２のIV-IV断面図である。
【図５】母線バー構造体の設けた支持部に保護板を支持させた状態を示す斜視図である。ただし、分岐ブレーカは省略している。
【図６】図５の部分拡大図である。
【図７】図６に示される部品の分解斜視図である。
【図８】保護プレートと支持部の分解斜視図である。
【図９】図８と異なる方向から見た保護プレートと支持部の分解斜視図である。
【図１０】支持部の両端で各々別の保護板を支えた例を示す図である。
【発明を実施するための形態】
【００１１】
以下に発明を実施するための形態を示す。本実施形態の電気機器収納用箱１は、主幹ブレーカ１１と、分岐ブレーカ１２と、分岐ブレーカ１２へ電力を供給する複数の母線バー１３を備えた母線バー構造体１４と、分岐ブレーカ１２の導電部を覆う保護板１５と、を筐体本体１０内に備えている。また、この筐体本体１０内に設けられる支持部材１７と、母線バー構造体１４に設けた支持部１８と、が保護板１５を支持する。このため、保護板１５の支持用に設置される支持部材１７のために必要なスペースが抑制された電気機器収納用箱１とすることができる。
【００１２】
図１に示すように、実施形態の電気機器収納用箱１は分電盤や配電盤などに用いられるものであり、筐体本体１０に取付レール２２が固定されている。また、図２及び図３に示すことから理解されるように、この取付レール２２には内器ユニット２３が取り付けられている。図４及び図５に示すことから理解されるように、内器ユニット２３の一つには、架台３１の上に配置された分岐ブレーカ１２と、主幹ブレーカ１１から分岐ブレーカ１２へ電力を供給する複数の母線バー１３を備えた母線バー構造体１４と、分岐ブレーカ１２の導電部を覆う保護板１５と、を備えている。なお、分岐ブレーカ１２は架台３１上に配置されたブレーカ取付部３２に取り付けられている。また、他の内器ユニット２３には主幹ブレーカ１１を備えている。実施形態の取付レール２２には、保護板１５を支持するために用いられる柱状の支持部材１７も固定されている。
【００１３】
図６及び図７に示すことから理解されるように、実施形態においては、複数の母線バー１３が保持された母線バー構造体１４に保護板１５の一方端部を支持する支持部１８を設けている。また、電気機器収納用箱１内には、保護板１５の他方端部を支持する支持部材１７を設けている。このような構成とすることで、母線バー構造体１４の支持部１８と支持部材１７とで、保護板１５を支持する。保護板１５は、支持部１８と支持部材１７に対して、ねじ固定しても構わないが、どちらか一方に回動機構を設け、保護板１５を回動自在とすることが好ましい。このような構成にすることで、筐体本体１０内の点検が行いやすくなる。実施形態においては、母線バー構造体１４に設けた支持部１８が、保護板１５を回動自在に支持する構成としている。なお、支持部材１７は、筐体本体１０の内部に設けられればよく、筐体本体１０内の上下方向に配置された取付レール２２上や、基板上でも構わないし、筐体本体１０の側面や水切りに固定するように設けても構わない。
【００１４】
実施形態の母線バー構造体１４は、３本の母線バー１３と、母線バー１３間の間隔を維持するためのスペーサ部材２４と、それらを一体で保持する保持部材２５を備えている。スペーサ部材２４と保持部材２５は、母線バー１３の長手方向に間隔をあけて複数設けることで、母線バー１３を保持している。スペーサ部材２４と保持部材２５は、樹脂製である。
【００１５】
また、母線バー構造体１４には支持部１８を設けている。支持部１８は、母線バー構造体１４に固定されるバー側固定部２６と、保護板１５に固定される板側固定部２７を備えており、バー側固定部２６と板側固定部２７が軸部２８を介して回動可能に連結されることで、保護板１５を回動自在とする。図６乃至図８に示すことから理解されるように、支持部１８を複数の部材で形成すれば、保護板１５と母線バー１３との絶縁を確保しやすくなる。
【００１６】
バー側固定部２６は、母線バー構造体１４の如何なる箇所に固定されてもよいが、母線バー構造体１４の保持部材２５に固定することで、母線バー１３とバー側固定部２６との絶縁を確保しやすくなる。また、保護板１５を閉じた状態とした際に、バー側固定部２６と板側固定部２７との間に保護プレート３９が位置するように形成することで、保護板１５を回動した際にも、保護板１５が母線バー１３に接触することを避けることができる。
【００１７】
実施形態のバー側固定部２６は、断面略Ｌ字形状とし、母線バー１３の正面と側面とを覆うように配置される。母線バー１３の側面側に配置される保護プレート１９を保持するための保持部２１を、母線バー構造体１４に設けた支持部１８に備えた構成とすることが好ましい。この保持部２１に保持された保護プレート１９の存在により、保護板１５を回動した際であっても、保護板１５の端部と母線バー１３との絶縁を確保しやすくなる。実施形態においては、バー側固定部２６に母線バー１３の側面側に配置される保護プレート１９を保持する保持部２１を設けている。
【００１８】
図１から図９に示す例では、母線バー構造体１４の片側に分岐ブレーカ１２を配置した構造を示しているが、図１０に示すように、母線バー構造体１４の両側に分岐ブレーカ１２を配置した構造であっても構わない。この場合、母線バー構造体１４上には、左側の保護板１５を回動自在に支持する支持部１８と、右側の保護板１５を回動自在に支持する支持部１８が配置される。左側の支持部１８と右側の支持部１８のバー側固定部２６を共通にすることで、部材を減らすことができる。
【００１９】
以上、実施形態を例に挙げて本発明について説明してきたが、本発明は上記実施形態に限定されることはなく、各種の態様とすることが可能である。
【符号の説明】
【００２０】
１１  主幹ブレーカ
１２  分岐ブレーカ
１３  母線バー
１４  母線バー構造体
１５  保護板
１７  支持部材
１８  支持部
１９  保護プレート
２１  保持部
【図１】
2019176640.tif 000003
【図２】
2019176640.tif 000004
【図３】
2019176640.tif 000005
【図４】
2019176640.tif 000006
【図５】
2019176640.tif 000007
【図６】
2019176640.tif 000008
【図７】
2019176640.tif 000009
【図８】
2019176640.tif 000010
【図９】
2019176640.tif 000011
【図１０】
2019176640.tif 000012